(57)【特許請求の範囲】
【請求項１】
プリント回路基板（３）上に配置するためのハウジングベース部分（２）と、ハウジング蓋部分（４）とを有するハウジング（１）を有し、前記ハウジング（１）には、ケージベース部分（８）とケージ蓋部分（９）とを有する金属バインダケージ（７）が配置され、前記ケージベース部分（８）が前記ハウジングベース部分（２）に配置され、前記ケージ蓋部分（９）が前記ハウジング蓋部分（４）に配置される、導体を接続するためのプリント回路基板バインダにおいて、
前記ハウジング蓋部分（４）を、前記ケージベース部分（８）を有する前記ハウジングベース部分（２）から開放位置へ前記ケージ蓋部分（９）と共に移動させることができ、前記開放位置では、導体を側方から、好ましくはプリント回路基板から離れて面する上側から、前記ケージベース部分（８）内に挿入できることを特徴とする、プリント回路基板バインダ。
【請求項２】
前記ケージ蓋部分（９）がそれを貫通するクランプネジ（１２）を有し、そのネジの端部が、前記バインダケージ（７）の内部で、好ましくは、牽引ストラップまたは加圧ストラップとして形成されるクランプストラップ（１３）に作用することを特徴とする、請求項１に記載のプリント回路基板バインダ。
【請求項３】
前記バインダケージ（７）の壁の少なくとも１つは、当該壁が導電要素としての機能を果たすように導電が良好な態様で形成されることを特徴とする、請求項１または２に記載のプリント回路基板バインダ。
【請求項４】
前記バインダケージ（７）の前記導電要素が、直接にあるいは接続ピン（１５）を介して前記プリント回路基板（３）に半田付け固定され得るプリント回路基板へ向けて対向するバインダケージのベース壁（１４）であることを特徴とする、請求項１または２に記載のプリント回路基板バインダ。
【請求項５】
前記ハウジング蓋部分（４）が前記ハウジングベース部分（２）と移動可能に接続されることを特徴とする、請求項１〜４のいずれか一項に記載のプリント回路基板バインダ。
【請求項６】
前記ハウジング蓋部分（４）が、相対的に移動可能な態様で、制限的な状態で前記ハウジングベース部分（２）と揺動可能に接続されることを特徴とする、請求項１〜５のいずれか一項に記載のプリント回路基板バインダ。
【請求項７】
前記ケージベース部分（８）および前記ケージ蓋部分（９）には対応する形状ロック手段（１０、１１）が設けられ、前記形状ロック手段が、互いに係合を解除でき、開放位置では形状ロック態様で協働しないとともに、前記バインダケージが閉じられるときに形状ロック態様で互いに係合することを特徴とする、請求項１〜６のいずれか一項に記載のプリント回路基板バインダ。
【請求項８】
前記ハウジング蓋部分（４）が、前記ケージ蓋部分（９）と共に前記プリント回路基板（３）と平行な位置に揺動でき、その状態で、前記ハウジング蓋部分（４）を前記ケージ蓋部分（９）と共にプリント回路基板の面と平行に移動させることができ、それにより、前記形状ロック手段（１０、１１）が互いに係合して、前記バインダケージが閉じられることを特徴とする、請求項１〜７のいずれか一項に記載のプリント回路基板バインダ。
【請求項９】
好ましくは前記形状ロック手段（１０、１１）間にキャッチロックも配置されることを特徴とする、請求項１〜８のいずれか一項に記載のプリント回路基板バインダ。
【請求項１０】
前記ハウジングベース部分（２）および前記ハウジング蓋部分（４）が形状ロック手段（１７、１８）によりおよび／またはキャッチ手段により補助的な態様で互いに閉状態で係合することを特徴とする、請求項１〜９のいずれか一項に記載のプリント回路基板バインダ。
【請求項１１】
開放状態の前記ハウジング蓋部分（４）を前記ハウジングベース部分（２）に対してロックできることを特徴とする、請求項１〜１０のいずれか一項に記載のプリント回路基板バインダ。
【請求項１２】
請求項１〜１１のいずれか一項に記載されるロック可能な構造要素間に、触知可能なおよび／または聞取り可能なキャッチが設けられることを特徴とする、請求項１〜１１のいずれか一項に記載のプリント回路基板バインダ。
【発明の詳細な説明】
【技術分野】
【０００１】
この発明は、請求項１の前文に係るプリント回路基板バインダ（ｂｉｎｄｅｒ）に関する。
【背景技術】
【０００２】
従来から、多種多様な直径を有する導体の接続のためのプリント回路基板バインダ（プリント回路基板固定装置）として多種多様なモデルが提案されている。
【０００３】
しかし、比較的大きな直径を有する導体を接続するときに、それらの比較的大きい直径に起因して多くの場合にかなり硬質である導体をプリント回路基板バインダに挿入することが困難であるという問題がある。
【発明の概要】
【発明が解決しようとする課題】
【０００４】
本発明の目的は、簡単な構造的特徴によってこの問題を解決することである。
【課題を解決するための手段】
【０００５】
本発明は、請求項１に記載のプリント回路基板バインダによってこの問題を解決する。
【０００６】
有利な実施形態を従属請求項で見出すことができる。
【０００７】
本発明は導体の挿入を確実に簡略化する。これは、導体を側方から（好ましくは上側の当初に開放された側から）最初に開放されたハウジング内へ挿入でき、その状態で、ハウジングが閉じられた後、好ましくはネジ接続として成される接続が「強固に螺合されて」良好な導電接触が達成されるからである。したがって、導体または導体端部を接触点にねじ込むために「曲げる」必要がもはやなく、有益である。
【０００８】
以下、典型的な実施形態を用いて図面を参照して本発明を更に詳しく説明するが、本発明の他の利点も明確に理解されよう。
【図面の簡単な説明】
【０００９】
【図１ａ】（ａ）は正面図として示されるプリント回路基板バインダを有するプリント回路基板の断面図である。（ｂ）は、図１（ａ）のプリント回路基板バインダの断面図（Ａ−Ａ線に沿う紙面に垂直な面を貫いて延びる断面）である。
【図２】導体が接続されるときに時系列的に互いに前後して起こる図１のプリント回路基板バインダの１つの状態を示している。
【図３】導体が接続されるときに時系列的に互いに前後して起こる図１のプリント回路基板バインダの１つの状態を示している。
【図４】導体が接続されるときに時系列的に互いに前後して起こる図１のプリント回路基板バインダの１３つの状態を示している。
【発明を実施するための形態】
【００１０】
導体の接続のための図１に示されるプリント回路基板バインダは、プリント回路基板３をセットできるようになっているハウジングベース部分２と、ハウジング蓋部分４とを有するハウジング１を有する。
【００１１】
ハウジングベース部分２は、導体を受けるために受け入れ空間５を取り囲む（ここでは、導体が図示されていない）。好ましい構造において、受け入れ空間５は、ここでは開放されており、まず最初にハウジング蓋部分４へ向けて上方へ向かい、その後再びハウジング１の前面６に向かう。接続後に挿入されるべき導体端部は、プリント回路基板の面と略平行に位置合わせされる。ハウジング１には、この場合にも好ましい構造においてＵ形状ケージベース部分８とケージ蓋部分９とを有する金属製のバインダケージ７が配置され、それによってケージベース部分８がハウジングベース部分２に配置され、ケージ蓋部分９がハウジング蓋部分４に配置される。
【００１２】
ハウジング蓋部分４は、ケージベース部分８を有するハウジングベース部分２から開放位置へケージ蓋部分９と共に移動させることができ、それにより、プリント回路基板３と平行にあるいは略平行に位置合わせされる導体端部を横から−ここでは上側から−ケージベース部分内に挿入することができる（図２）。したがって、導体端部を接触点へ向けて軸方向に捩じ込む必要がない。
【００１３】
特定の好ましい変形によれば、これは以下の方法で達成される。すなわち、ハウジング蓋部分４がハウジングベース部分２と揺動自在に接続される。揺動性は、例えば、関節態様で接続されるようになっている部分（例えば、長手方向穴および／または孔）を貫通する好ましくは金属から形成される小軸によって具現化されるヒンジ構造によって得られる。フィルムヒンジによって揺動作用をもたらすこともできる。
【００１４】
この変形例により、ハウジングをプラスチック射出成形部分として一体的に形成することができる。しかし、幾つかの部品から成るプラスチックハウジングを形成することもできる。
【００１５】
ハウジングベース部分２およびハウジング蓋部分４が揺動態様で互いに接続されるようにすることは有益であるが、必須のことではない。また、これらの部分を互いに対して簡単に取り外すことができる（ここでは図示せず）ように形成することも考えられる。
【００１６】
特に好ましい態様において、揺動可能で且つ制限的に揺動可能な動作は、ハウジングベース部分２とハウジング蓋部分４との間の十分に長い寸法のフィルムヒンジによって可能になる。この好ましい構造は−以下で分かるように−特に有益である。
【００１７】
図１および図２によれば、ケージベース部分８およびケージ蓋部分９には、互いに係脱できる対応する形状ロック手段（ｆｏｒｍ−ｌｏｃｋｉｎｇ  ｍｅａｎｓ：形状がぴったりと合う形での固定手段）１０、１１が設けられており、該形状ロック手段は、この場合、いずれにおいても、ケージベース部分８の側壁に形成される２つの溝１１として、および、ケージ蓋部分９の対応する側方ブリッジ１０として形成され、それにより、いずれの場合にも、溝１１のうちの一方がプリント回路基板の面へ向けて平行に開放され、溝１１のうちの一方がＬ形状に形成される。
【００１８】
開放状態の位置、あるいは、このケースでは、この場合にはハウジング蓋部分４に配置されるケージ蓋部分９がケージベース部分８から完全に分離される開放位置（図２）へハウジング蓋部分４が揺動された状態の位置へ導体を挿入した後、ケージ蓋部分９を有するハウジング蓋部分４がプリント回路基板３と平行な位置へ下方へ折り返される（図３）。この位置では、形状ロック手段１０、１１が互いに同一平面上にあり、ブリッジ１０が後溝１１と係合してこれらのＬ形状溝１１のベース脚に入り込む。
【００１９】
その後、ケージ蓋部分９を有するハウジング蓋部分４がプリント回路基板の面と平行に移動され、それにより、形状ロック手段１０、１１が互いに係合して、バインダケージが閉じられる（図４）。その後、クランプ導体接続をもたらして、好ましくはケージ蓋部分９を回転可能に貫通するクランプネジ１２を締め付けるだけで済む。クランプネジの端部は、クランプするケージの内部において、相対的に移動可能な態様でケージ蓋部分９を囲むように把持しあるいはケージ蓋部分に固定される弾性的に形成されるクランプストラップ１３に作用し、ねじ込みによりバインダケージ７内で導体端部を堅固にクランプすることが好ましい。クランプストラップ１３は、随意的に、牽引ストラップまたは加圧ストラップとして形成できる。更に、クランプストラップはワイヤシールドとして機能することもできる。
【００２０】
バインダケージ７の壁の少なくとも１つは、導電が良好な態様で形成されているため、導電要素としての機能を果たす。この目的のため、プリント回路基板３の方へ向けて対向し且つこの場合も好ましくは直接にあるいは接続ピン１５を介して導電態様で半田付けによりプリント回路基板３に接続されてこれに固定されるシートメタルの導電部品で覆われるバインダケージ７のベース壁１４を使用することが好ましい。
【００２１】
形状ロック手段１０、１１間には、随意的に、バインダケージ７が手荒く扱われるときであっても確実に閉じられたままとなるようにするために固定用掛け止め（キャッチエッジ１６）を形成することができる。
【００２２】
また、ハウジングベース部分２およびハウジング蓋部分４が、導体を挿入して「クランプ状態」（図４）を達成した後に、これらの要素間の相対的な移動可能性を妨げるべく形状ロック手段１７、１８および／またはキャッチ手段により補助的なロック態様で互いに係合することも考えられる。
【００２３】
他の有利な変形例によれば、ハウジング蓋部分４は、ここでは所定の開位置を有するようにハウジングベース部分２に対しても開放状態でロックされる。
【００２４】
なお、前述した異なる随意的なキャッチ機能に関しては、好ましくはロック可能な構造要素間で、いずれの場合にも、導体のロック後に導体をネジ１２により強固にクランプできることをユーザが確実に分かるように、触知可能なおよび／または聞取り可能なキャッチを成してもよい。
【００２５】
本発明のネジ接続は、その簡単で安価な構造を考えると、−形態に応じて−大きい直径を有する場合がある比較的柔軟性がない導体の接続にもかなり適している。
【符号の説明】
【００２６】
１  ハウジング
２  ハウジングベース部分
３  プリント回路基板
４  ハウジング蓋部分
５  受け入れ空間
６  前面
７  バインダケージ
８  ケージベース部分
９  ケージ蓋部分
１０、１１  形状ロック手段
１２  クランプネジ
１３  クランプストラップ
１４  ベース壁
１５  接続ピン
１６  キャッチエッジ
１７、１８  形状ロック手段
【図１ａ）】
0005352910.tif 000002
【図１ｂ）】
0005352910.tif 000003
【図２】
0005352910.tif 000004
【図３】
0005352910.tif 000005
【図４】
0005352910.tif 000006